(57)【要約】【課題】光の光路がその表面に対して垂直でない場合でも光情報を記録及び／又は再生することが可能であると共に、容易に製造できる光情報記録媒体を提供する。【解決手段】光を用いて情報が記録される光情報記録媒体において、第一の凹凸部３０を有する第一の層２０、第二の凹凸部３０を有する第二の層２０、並びに第一の層２０及び第二の層２０の間に設けられ、情報が記録される情報記録層１０、を含み、第一の凹凸部３０は、第二の凹凸部３０に対して整列される。【選択図】        図２
2005018852.tif 000002
【特許請求の範囲】
【請求項１】
光を用いて情報が記録される光情報記録媒体において、
第一の凹凸部を有する第一の層、
第二の凹凸部を有する第二の層、並びに
前記第一の層及び前記第二の層の間に設けられ、前記情報が記録される情報記録層、を含み、
前記第一の凹凸部は、前記第二の凹凸部に対して整列されたことを特徴とする光情報記録媒体。
【請求項２】
前記第一の層及び前記第二の層の間に設けられ、光を反射する反射層をさらに含むことを特徴とする請求項１記載の光情報記録媒体。
【請求項３】
第一の面及び第二の面を備えると共に光によって情報が記録される情報記録層、を有する光情報記録媒体の製造方法であって、
前記情報記録層の前記第一の面に第一の紫外線硬化樹脂を塗布するステップ、
前記第一の紫外線硬化樹脂に第一の凹凸形状を有する第一のスタンパを当てて、前記第一の紫外線硬化樹脂に前記第一の凹凸形状を転写するステップ、
前記第一の紫外線硬化樹脂に紫外線を照射して前記第一の紫外線硬化樹脂を硬化させるステップ、
前記情報記録層の前記第二の面に第二の紫外線硬化樹脂を塗布するステップ、
前記第二の紫外線硬化樹脂に第二の凹凸形状を有する第二のスタンパを当てて、前記第二の紫外線硬化樹脂に前記第二の凹凸形状を転写するステップ、
前記第二の紫外線硬化樹脂に紫外線を照射して前記第二の紫外線硬化樹脂を硬化させるステップ、を含むことを特徴とする光情報記録媒体の製造方法。
【請求項４】
前記情報記録層の前記第一の面及び前記第二の面にそれぞれ複数の位置合わせ用マーカを付与するステップをさらに含み、
前記第一のスタンパ及び前記第二のスタンパは、前記第一の面及び前記第二の面に付与された前記複数の位置合わせ用マーカを用いて、前記第一の凹凸形状が前記第二の凹凸形状と整列するように、それぞれ、前記第一の紫外線硬化樹脂及び前記第二の紫外線硬化樹脂に位置決めされることを特徴とする請求項３記載の光情報記録媒体の製造方法。
【請求項５】
光情報記録媒体に対して情報を記録及び／又は再生する光情報記録再生光学系であって、
第一のトラッキング用の光を放出する第一の光源、
第二のトラッキング用の光を放出する第二の光源、
前記第一のトラッキング用の光及び前記第二のトラッキング用の光を前記光記録媒体に集光する光集光手段、
前記光記録媒体から反射された前記第一のトラッキング用の光の反射光及び前記第二のトラッキング用の光の反射光を、前記光記録媒体に向う前記第一のトラッキング用の光及び前記第二のトラッキング用の光と分離する分離手段、
前記分離手段によって分離された前記第一のトラッキング用の光の反射光を受光する第一の受光素子、並びに
前記分離手段によって分離された前記第二のトラッキング用の光の反射光を受光する第二の受光素子を含むことを特徴とする光情報記録再生光学系。
【請求項６】
光情報記録媒体に対して情報を記録及び／又は再生する光情報記録再生装置であって、
請求項５記載の光情報記録再生光学系を有することを特徴とする光情報記録再生装置。
【発明の詳細な説明】
【０００１】
【発明の属する技術分野】
本発明は、光情報記録媒体、光情報記録媒体の製造方法、光情報記録再生光学系、及び光情報記録再生装置に関する。
【０００２】
【従来の技術】
近年、情報を記録する手段として、光ディスクなどの光情報記録媒体が普及しつつある。ＣＤ及びＤＶＤのような光ディスクは、光ディスクの片面に一層又は二層の情報記録層を有しており、これら一層又は二層の情報記録層に情報を記録する。このため、ＣＤ及びＤＶＤのような光ディスクに記録される情報の量は、かなり制限される。そこで現在、より高密度及びより大容量の次世代光情報記録媒体に関する研究及び開発が活発に行われている。光ディスクに記録される情報の容量を高める技術として、情報の記録及び／又は再生用の光として短波長の光を採用すること、光情報記録再生光学系における対物レンズのＮＡ（開口数）を大きくすること、多値の記録マーク（０レベル及び１レベルの間における中間レベルの信号を与える記録マーク）を利用すること、及び光ディスクの回転軸の方向に並べられた多層（三層以上、例えば十層、百層など）の情報記録層を採用することなどが挙げられる。
【０００３】
特に、光情報記録媒体に多層の情報記録層を採用することは、他の技術に比べて飛躍的な情報の記録容量の増大が期待できる。すなわち、光情報記録媒体に記録できる情報の容量は、情報記録層の数におおよそ比例するので、光情報記録媒体に含まれる情報記録層の数を増加させることで、光情報記録媒体に記録できる情報の容量を増加させることができる。また、光情報記録媒体の回転軸の方向に並べられた複数の情報記録層から一度に情報を取得することができるので、情報を再生する速度もまた向上させることができる。
【０００４】
多層の光情報記録媒体の例として、互いに異なる分光特性を有する複数の島状金属薄膜を有する三次元追記型光ディスクが開示されている（例えば、特許文献１参照）。また、三次元的に配置された複数の情報記録層を有する光情報記録媒体に対して三次元的に情報を記録する方法が開示されている（例えば、特許文献２参照）。さらに、光情報記録媒体における特定の位置で情報の記録及び／又は再生することができるように、トラッキング用案内溝（グルーブ）が設けられた層を有する光情報記録媒体が開示されている（例えば、特許文献３及び特許文献４参照）。
【０００５】
【特許文献１】
特開２００２−１１９５７号公報
【０００６】
【特許文献２】
特開平６−２８６７２号公報
【０００７】
【特許文献３】
特開２００２−３２９３１６号公報
【０００８】
【特許文献４】
特開２００２−３１２９５８号公報
【０００９】
【発明が解決しようとする課題】
しかしながら、光記録情報媒体は、実際にはいくらかの反りを有する場合があり、また、光情報記録再生装置における光情報記録媒体の駆動機構へ光情報記録媒体を取り付ける際には、光情報記録媒体が、光情報記録再生光学系の光軸に対して傾く場合もある。すなわち、光情報記録媒体の表面が、情報を記録及び／又は再生する光の光路に対して垂直ではないことがある。
【００１０】
図１４は、従来の光情報記録媒体に反り及び／又は傾きがある場合における情報の再生を説明する図である。図１４に示すように、従来の光情報記録媒体２は、基板４０、透明又は着色層２２、単一の情報記録層１０、及び透明層２１を含み、基板４０上に透明又は着色層２２、情報記録層１０、及び透明層２１が順次積層されている。情報記録層１０には、記録された情報としての複数の記録マーク２０が含まれる。また、基板４０及び透明又は着色層２２との境界面は、トラッキング用案内溝などの凹凸部３０が形成されている。
【００１１】
ここで、光情報記録媒体２に反り及び／又は傾きがある場合における情報の再生について説明する。光情報記録媒体２は、光情報記録媒体２の回転軸に垂直な平面を基準として、光情報記録媒体２における情報の再生が行われる位置付近で局所的に角度θだけ傾いているとする。このとき、光ピックアップ装置などの光情報記録再生光学系における対物レンズ２７０を通過したトラッキング用レーザー光４２０は、光情報記録媒体２における所定の凹凸部３０に焦点を形成してその凹凸部３０を追従するが、対物レンズ２７０を通過する情報記録再生用レーザー光４１０は、光情報記録媒体２に照射される情報記録再生用レーザー光の光路（対物レンズ２７０の光軸）が、光情報記録媒体２内の情報記録層１０に対して鉛直ではないため、情報記録層１０内に形成された記録マーク６０に焦点を形成しない場合がある。すなわち、情報記録再生用レーザー光４１０が形成する焦点及び記録マーク６０の位置の間に誤差が生じる。このような位置の誤差は、情報記録層１０の厚さに関わらず、情報記録層１０がトラッキング用案内溝などの凹凸部３０から離れた位置に設けられているときに、特に大きくなる。よって、従来の光情報記録媒体２における基板４０及び透明又は着色層２２との境界面に形成された凹凸部３０に対するトラッキングによって、光情報記録媒体２における所望の位置に対して情報を記録及び／又は再生することは困難である。
【００１２】
上記従来の技術においては、このような光情報記録媒体における反り及び／又は光情報記録再生装置へ光情報記録媒体を取り付ける際の光情報記録媒体の傾き等による情報の記録及び／又は再生への影響は考慮されていない。よって、このような光情報記録再生装置には、光情報記録媒体に照射される光の光路を、光情報記録媒体内の情報記録層に対して鉛直になるように補正するための機構も設けられていない。
【００１３】
さらに、特許文献３に開示される多層の情報記録層を有する光情報記録媒体においては各々の情報記録層にトラッキング用案内溝が形成されているが、多層（例えば１０層以上）のトラッキング用案内溝を有する情報記録層を含む光情報記録媒体を製造するためには、各々の情報記録層にトラッキング用案内溝を転写する必要がある。このため、情報記録層にトラッキング用案内溝を転写する工程の数が増加して、このような光情報記録媒体を製造する工程が複雑になり、光情報記録媒体の生産効率が低下するという問題があった。
【００１４】
本発明は、上記問題に鑑みなされたものであり、光の光路がその表面に対して垂直でない場合でも光情報を記録及び／又は再生することが可能であると共に、容易に製造できる光情報記録媒体、該光情報記録媒体の製造方法、及び該光情報記録媒体に対して光情報の記録及び／又は再生する光情報記録再生光学系及び光情報記録再生装置を提供することを目的とする。
【００１５】
【課題を解決するための手段】
請求項１記載の発明は、光情報記録媒体において、光を用いて情報が記録される光情報記録媒体において、第一の凹凸部を有する第一の層、第二の凹凸部を有する第二の層、並びに前記第一の層及び前記第二の層の間に設けられ、前記情報が記録される情報記録層、を含み、前記第一の凹凸部は、前記第二の凹凸部に対して整列されたことを特徴とする。
【００１６】
請求項１記載の発明によれば、光を用いて情報が記録される光情報記録媒体において、第一の凹凸部を有する第一の層、第二の凹凸部を有する第二の層、並びに前記第一の層及び前記第二の層の間に設けられ、前記情報が記録される情報記録層、を含み、前記第一の凹凸部は、前記第二の凹凸部に対して整列されるので、光の光路がその表面に対して垂直でない場合でも光情報を記録及び／又は再生することが可能であると共に、容易に製造できる光情報記録媒体を提供することができる。
【００１７】
請求項２記載の発明は、請求項１記載の光情報記録媒体において、前記第一の層及び前記第二の層の間に設けられ、光を反射する反射層をさらに含むことを特徴とする。
【００１８】
請求項２記載の発明によれば、前記第一の層及び前記第二の層の間に設けられ、光を反射する反射層をさらに含むので、第一の凹凸部を追従する光及び第二の凹凸部を追従する光が互いに干渉することを防止することができる。
【００１９】
請求項３記載の発明は、光情報記録媒体の製造方法であって、第一の面及び第二の面を備えると共に光によって情報が記録される情報記録層、を有する光情報記録媒体の製造方法であって、前記情報記録層の前記第一の面に第一の紫外線硬化樹脂を塗布するステップ、前記第一の紫外線硬化樹脂に第一の凹凸形状を有する第一のスタンパを当てて、前記第一の紫外線硬化樹脂に前記第一の凹凸形状を転写するステップ、前記第一の紫外線硬化樹脂に紫外線を照射して前記第一の紫外線硬化樹脂を硬化させるステップ、前記情報記録層の前記第二の面に第二の紫外線硬化樹脂を塗布するステップ、前記第二の紫外線硬化樹脂に第二の凹凸形状を有する第二のスタンパを当てて、前記第二の紫外線硬化樹脂に前記第二の凹凸形状を転写するステップ、前記第二の紫外線硬化樹脂に紫外線を照射して前記第二の紫外線硬化樹脂を硬化させるステップ、を含むことを特徴とする。
【００２０】
請求項３記載の発明によれば、第一の面及び第二の面を備えると共に光によって情報が記録される情報記録層、を有する光情報記録媒体の製造方法であって、前記情報記録層の前記第一の面に第一の紫外線硬化樹脂を塗布するステップ、前記第一の紫外線硬化樹脂に第一の凹凸形状を有する第一のスタンパを当てて、前記第一の紫外線硬化樹脂に前記第一の凹凸形状を転写するステップ、前記第一の紫外線硬化樹脂に紫外線を照射して前記第一の紫外線硬化樹脂を硬化させるステップ、前記情報記録層の前記第二の面に第二の紫外線硬化樹脂を塗布するステップ、前記第二の紫外線硬化樹脂に第二の凹凸形状を有する第二のスタンパを当てて、前記第二の紫外線硬化樹脂に前記第二の凹凸形状を転写するステップ、前記第二の紫外線硬化樹脂に紫外線を照射して前記第二の紫外線硬化樹脂を硬化させるステップ、を含むので、光の光路がその表面に対して垂直でない場合でも光情報を記録及び／又は再生することが可能であると共に、容易に製造できる光情報記録媒体の製造方法を提供することができる。
【００２１】
請求項４記載の発明は、請求項３記載の光情報記録媒体の製造方法において、前記情報記録層の前記第一の面及び前記第二の面にそれぞれ複数の位置合わせ用マーカを付与するステップをさらに含み、前記第一のスタンパ及び前記第二のスタンパは、前記第一の面及び前記第二の面に付与された前記複数の位置合わせ用マーカを用いて、前記第一の凹凸形状が前記第二の凹凸形状と整列するように、それぞれ、前記第一の紫外線硬化樹脂及び前記第二の紫外線硬化樹脂に位置決めされることを特徴とする。
【００２２】
請求項４記載の発明によれば、前記情報記録層の前記第一の面及び前記第二の面にそれぞれ複数の位置合わせ用マーカを付与するステップをさらに含み、前記第一のスタンパ及び前記第二のスタンパは、前記第一の面及び前記第二の面に付与された前記複数の位置合わせ用マーカを用いて、前記第一の凹凸形状が前記第二の凹凸形状と整列するように、それぞれ、前記第一の紫外線硬化樹脂及び前記第二の紫外線硬化樹脂に位置決めされるので、第一の凹凸形状を第二の凹凸形状と精度良く整列させることができる。
【００２３】
請求項５記載の発明は、光情報記録媒体に対して情報を記録及び／又は再生する光情報記録再生光学系であって、第一のトラッキング用の光を放出する第一の光源、第二のトラッキング用の光を放出する第二の光源、前記第一のトラッキング用の光及び前記第二のトラッキング用の光を前記光記録媒体に集光する光集光手段、前記光記録媒体から反射された前記第一のトラッキング用の光の反射光及び前記第二のトラッキング用の光の反射光を、前記光記録媒体に向う前記第一のトラッキング用の光及び前記第二のトラッキング用の光と分離する分離手段、前記分離手段によって分離された前記第一のトラッキング用の光の反射光を受光する第一の受光素子、並びに前記分離手段によって分離された前記第二のトラッキング用の光の反射光を受光する第二の受光素子を含むことを特徴とする。
【００２４】
請求項５記載の発明によれば、第一のトラッキング用の光を放出する第一の光源、第二のトラッキング用の光を放出する第二の光源、前記第一のトラッキング用の光及び前記第二のトラッキング用の光を前記光記録媒体に集光する光集光手段、前記光記録媒体から反射された前記第一のトラッキング用の光の反射光及び前記第二のトラッキング用の光の反射光を、前記光記録媒体に向う前記第一のトラッキング用の光及び前記第二のトラッキング用の光と分離する分離手段、前記分離手段によって分離された前記第一のトラッキング用の光の反射光を受光する第一の受光素子、並びに前記分離手段によって分離された前記第二のトラッキング用の光の反射光を受光する第二の受光素子を含むので、光の光路がその表面に対して垂直でない場合でも光情報を記録及び／又は再生することが可能であると共に、容易に製造できる光情報記録媒体に対して光情報の記録及び／又は再生する光情報記録再生光学系を提供することができる。
【００２５】
請求項６記載の発明は、光情報記録媒体に対して情報を記録及び／又は再生する光情報記録再生装置であって、請求項５記載の光情報記録再生光学系を有することを特徴とする。
【００２６】
請求項６記載の発明によれば、請求項５記載の光情報記録再生光学系を有するので、光の光路がその表面に対して垂直でない場合でも光情報を記録及び／又は再生することが可能であると共に、容易に製造できる光情報記録媒体に対して光情報の記録及び／又は再生する光情報記録再生装置を提供することができる。
【００２７】
【発明の実施の形態】
次に、本発明の実施の形態について図面と共に説明する。
【００２８】
まず、本発明の光情報記録媒体について図１、図２、図３を用いて説明する。図１は、本発明の第一の態様による光情報記録媒体１の断面図である。光情報記録媒体１は、情報記録層１０、二つの樹脂層２０、及び二つの透明層２１を含む。二つの樹脂層２０は、それぞれ、情報記録層１０の上面及び下面に設けられる。二つの透明層２１は、それぞれ、上側の樹脂層２０の上面及び下側の樹脂層２０の下面に設けられる。本発明の光情報記録媒体１では、上側の樹脂層２０及び下側の樹脂層２０が、凹凸部３０を有する。情報記録層１０に情報を記録すると、情報記録層１０に記録マークが形成される。図１に示す光情報記録媒体１は、厚い単一の情報記録層１０を有する。この情報記録層１０の厚さが大きいため、光情報記録媒体１の上下面に沿った方向だけでなく、回転軸に沿った方向にも、記録マークを三次元的に形成する、即ち情報を三次元的に記録することができる。これにより、光情報記録媒体１には、大容量の情報を記録することができると共に光情報記録媒体１から情報を高速で再生することができる。
【００２９】
図２は、本発明の第二の態様による光情報記録媒体１の断面図である。光情報記録媒体１は、複数の情報記録層１０、二つの樹脂層２０、複数の透明層２１を含む。ここで、複数の情報記録層１０の間には、複数の透明層２１が存在し、複数の情報記録層１０は、互いに分離されている。即ち、光情報記録媒体１は、情報記録層１０の多層構造を有する。また、最上の情報記録層１０の上面及び最下の情報記録層１０の下面には、樹脂層２０が設けられ、上側の樹脂層２０の上面、及び下側の樹脂層２０の下面には、透明層２１が設けられる。本発明の光情報記録媒体１では、上側の樹脂層２０及び下側の樹脂層２０が、凹凸部３０を有する。複数の情報記録層１０の各々に情報を記録すると、情報が記録された情報記録層１０に記録マークが形成される。このように、光情報記録媒体１は、光情報記録媒体１の回転軸の方向に複数の情報記録層１０を有するため、光情報記録媒体１の上下面の沿った方向だけでなく、回転軸に沿った方向にも、記録マークを三次元的に形成する、即ち情報を三次元的に記録することができる。これにより、三次元記録媒体１には、大容量の情報を記録することができると共に光情報記録媒体１から情報を高速で再生することができる。
【００３０】
図３は、本発明の第三の態様による光情報記録媒体１の断面図である。光情報記録媒体１は、複数の情報記録層１０、二つの樹脂層２０、複数の透明層２１、二つの基板４０、及び反射層５０を有する。ここで、反射層５０の上面及び下面には、二つの基板４０が設けられている。反射層５０の上面に設けられた上側の基板４０の上には、複数の情報記録層１０が設けられ、複数の情報記録層１０の間には、複数の透明層２０が挟まれている。即ち、光情報記録媒体１は、情報記録層１０の多層構造を有する。最上の情報記録層１０の上面には、樹脂層２０が設けられ、樹脂層２０の上面には、透明層２１が設けられる。本発明の光情報記録媒体１では、上側の樹脂層２０が凹凸部３０を有する。同様に、反射層５０の下面に設けられた下側の基板４０の下には、複数の情報記録層１０が設けられ、複数の情報記録層１０の間には、複数の透明層２０が挟まれている。即ち、三次元光情報記録媒体１は、情報記録層１０の多層構造を有する。最下の情報記録層１０の下面には、樹脂層２０が設けられ、樹脂層２０の下面には、透明層２１が設けられる。本発明の光情報記録媒体１では、下側の樹脂層２０が凹凸部３０を有する。複数の情報記録層１０の各々に情報を記録すると、情報が記録された情報記録層１０に記録マークが形成される。このように、光情報記録媒体１は、光情報記録媒体１の回転軸の方向に複数の情報記録層１０を有するため、光情報記録媒体１の上下面の沿った方向だけでなく、回転軸に沿った方向にも、記録マークを三次元的に形成する、即ち情報を三次元的に記録することができる。これにより、三次元記録媒体１には、大容量の情報を記録することができると共に光情報記録媒体１から情報を高速で再生することができる。なお、図３においては、二つの基板４０及び二つの基板４０に挟まれた反射層５０が、光情報記録媒体１の中央に設けられているが、二つの透明層２０の間であれば、二つの基板４０及び二つの基板４０に挟まれた反射層５０をどの位置に設けてよい。また、反射層５０は、Ａｌ、Ａｇ、又はＡｕのいずれかの材料を用いて形成することができる。
【００３１】
図１、図２、及び図３に示す光情報記録媒体１において、情報記録層１０の材料は、光を照射した部分の物性が、光を照射しない部分の物性と異なり、その異なった物性が長時間持続されるような材料であればよく、相変化材料、光磁気材料、ガラス、フォトリフラクティブ結晶、フォトクロミック材料、及びフォトポリマーの何れか一つ、又はこれらの材料から選択される複数の材料の組み合わせなどを用いることができる。ここで、相変化材料、光磁気材料、ガラス、フォトリフラクティブ結晶、フォトクロミック材料、及びフォトポリマーは、周知の材料を使用することができる。これらの材料における物性の変化を適切な光の照射によって引き起こすことによって、情報記録層１０に情報が記録され、それら物性の変化を検出することで、情報記録層１０に記録された情報を再生することができる。
【００３２】
情報記録層１０の材料に、ガラス又はフォトリフラクティブ結晶などの固形物を用いる場合には、情報記録層１０を、円板形状又は立方体形状などの所望の形状で製造することが容易であり、また、厚さの大きい単一の情報記録層１０を形成することができる。熱によって情報を記録する相変化材料又は光磁気材料は、主としてスパッタ法等で情報記録層１０を形成することが多い。よって、厚さの大きい情報記録層１０を形成するために時間を要し、隣接する層への熱的な影響が懸念される。このため、情報記録層１０の材料として相変化材料又は光磁気材料を使用する場合には、複数の厚さの小さい情報記録層１０を積層させた多層構造を形成することが好ましい。この場合に、各々の情報記録層１０の間には、透明な材料（例えば、ポリカーボネート、ガラス、又は紫外繰硬化樹脂等）の層を設けることが好ましく、光情報記録媒体１に対する記録及び／又は再生を行う際に、光情報記録媒体１に照射される光に対して高い透過率を有することが望ましい。また、フォトクロミック材料又はフォトポリマーのような有機材料を用いて形成された情報記録層１０についても、透明層を有する多層構造とすることが好ましい。本発明によれば、これらのいずれの場合においても、情報記録層１０にトラッキング用案内溝などのアドレス情報を有する凹凸部を形成することは必要ない。
【００３３】
また、情報記録層の全体の形状は、円板（ディスク）形状又は立方体形状であってもよく、これら以外の任意の形状であってもよい。
【００３４】
図１、図２、及び図３における上側及び下側の凹凸部３０は、具体的には、トラッキング用案内溝などのアドレス情報を有する凹凸部である。アドレス情報を有する凹凸部としては、トラッキング用案内溝の他に、従来のＤＶＤ−ＲＡＭ、ＤＶＤ−ＲＷ、及びＤＶＤ＋ＲＷ等の光ディスク形状の光情報記録媒体において使用されているアドレス情報を有する構造、すなわち、エンボスプリピット、ウォブル、及びランドプリピット（ＬＰＰ）を用いることができる。
【００３５】
また、本発明による光情報記録媒体１においては、上側の凹凸部３０及び下側の凹凸部３０は、光情報記録媒体１の上下面に垂直な方向で、互いに整列されている。また、上側の凹凸部３０及び下側の凹凸部３０は、互いに、同一又は同様のアドレス情報を有する凹凸部（トラッキング用案内溝、エンボスプリピット、ウォブル、ランドプリピットなど）を有する。光情報記録媒体１に情報を記録及び／又は再生する際のトラッキングにおいて、トラッキング用光ビームを、整列した上側の凹凸部３０及び下側の凹凸部３０（同一のアドレス）に追従させる。これにより、情報記録再生用光ビームを、情報記録層１０における所望の位置に正確にアクセスすることが可能となる。このように本発明による光記録媒体１は、上側の凹凸部３０と下側の凹凸部３０の両方を有することで、情報記録層１０における所望の位置に情報を記録及び／再生することが可能な光情報記録媒体１を提供することができる。また、本発明によれば、光情報記録媒体１が複数の情報記録層１０を有する場合、複数の情報記録層１０の全てにトラッキング用案内溝などのアドレス情報を有する凹凸部を形成することを必要としない。よって、本発明による光情報記録媒体１は、比較的容易に製造することができる。
【００３６】
次に、本発明による光情報記録媒体の製造方法について、図４、５、６、７及び８を用いて説明する。まず、本発明による光情報記録媒体の製造の手順について図４を用いて説明する。最初に、図４（ａ）に示すように、情報記録層１０の材料を製造する。このとき、情報記録層１０の材料の大きさは、光情報記録媒体１に必要とされる情報記録層１０の大きさよりも大きく製造する。次に、図４（ｂ）に示すように、情報記録層１０の材料の上面及び下面の各々に、複数の位置合わせ用マーカ（印）７０を付与する。これら複数の位置合わせ用マーカ７０は、光情報記録媒体１に必要とされる情報記録層１０の大きさより外側の最外周部分に付与される。情報記録層１０の材料の最外周部分まで記録及び／又は再生領域として使用することはなく、複数の位置合わせ用マーカ７０は、情報記録層１０における記録及び／又は再生に使用する領域外に付与されるので、実用上問題ではない。位置合わせ用マーカ７０を付与する位置に関しては、高い精度が要求される。また位置合わせ用マーカ７０の数が、Ｎ個（Ｎ＝２以上の自然数）であり、情報記録層１０が、円板形状である場合には、隣り合う位置合わせ用マーカ７０間の角度は、等間隔の（３６０／Ｎ）度であることが好ましい。この場合には、任意の隣接する位置合わせ用マーカ７０間の距離が大きくなり、スタンパの位置合わせの精度が高くなる。位置合わせ用マーカ７０の材料としては、位置決め用レーザー光を吸収する黒色顔料等の塗料を用いることができる。また、複数の位置合わせ用マーカ７０は、後に形成される上側の樹脂層２０の凹凸部３０及び下側の樹脂層２０の凹凸部３０が整列されるように付与される。次に、紫外線硬化樹脂を用いたいわゆる２Ｐ法によって、凹凸部３０を有する下側の樹脂層２０を形成する。具体的には、まず図４（ｃ）に示すように、情報記録層１０の材料における下側の面に紫外線硬化樹脂を塗布する。次に、図４（ｄ）に示すように、塗布された紫外線硬化樹脂に、トラッキング用案内溝などのアドレス情報を有する凹凸部３０の形状を有する金属製のスタンパ（金属原版）１１０を当てて、紫外線硬化樹脂にスタンパ１１０に刻まれた凹凸部３０の形状を転写する。このとき、情報記録層１０の材料における下側の面に付与された位置合わせ用マーカ７０を使用して、金属製のスタンパ１１０の位置決めを行う。引き続き、金属製のスタンパ１１０の反対側から記録樹脂層１０を介して紫外線を照射して、凹凸部３０の形状を有する紫外線硬化樹脂を硬化させる。その後、金属製のスタンパ１１０を、硬化した紫外線硬化樹脂、即ち樹脂層２０から取り外す。さらに、２Ｐ法によって、凹凸部３０を有する上側の樹脂層２０を形成する。具体的には、まず図４（ｅ）に示すように、情報記録層１０の材料における上側の面に紫外線硬化樹脂を塗布する。次に、図４（ｆ）に示すように、塗布された紫外線硬化樹脂に、凹凸部３０の形状を有する金属製のスタンパ１１０を当てて、紫外線硬化樹脂に凹凸部３０の形状を転写する。このとき、情報記録層１０の材料における上側の面に付与された位置合わせ用マーカ７０を使用して、金属製のスタンパ１１０の位置決めを行う。引き続き、金属製のスタンパ１１０の反対側から記録樹脂層１０を介して紫外線を照射して、凹凸部３０の形状を有する紫外線硬化樹脂を硬化させる。その後、図４（ｇ）に示すように、金属製のスタンパ１１０を、硬化した紫外線硬化樹脂、即ち樹脂層２０から取り外し、記録樹脂層１０の上面及び下面に凹凸部３０を有する樹脂層２０が形成される。最後に、図４（ｈ）に示すように、記録樹脂層１０の上面及び下面に形成された上側及び下側の樹脂層２０上に、フォトポリマー等の透明な材料を用いて、スピンコート又はその他の方法によって、保護層としての透明層２１を形成する。このようにして形成された積層体の全体を所望の大きさに切断して、本発明による光情報記録媒体１が形成される。
【００３７】
図４（ａ）乃至（ｈ）では、図１に示すような厚さの大きい単一の情報記録層１０を有する光情報記録媒体１の製造方法について具体的に説明したが、図２に示すような複数の情報記録層１０を有する光情報記録媒体１についても同様の方法で製造することができる。すなわち、複数の情報記録層１０の材料及び複数の透明層２１の材料を交互に積層して形成された積層体を用いて図４（ａ）乃至（ｈ）の手順を行えばよい。また、図３に示すような反射層５０を有する光情報記録媒体では、反射層５０より上側の部分及び反射層５０より下側の部分を、それぞれ、複数の情報記録層１０の材料及び複数の透明層２１の材料を交互に積層して形成された積層体を用いて図４（ａ）乃至（ｅ）と同様の手順で製造し、製造された反射層５０より上側の部分及び反射層５０より下側の部分を、それぞれの基板４０を反射層５０に接着して形成することができる。また、反射層５０の材料を真空蒸着によって基板４０に堆積させることで、反射層５０を得ることもできる。
【００３８】
上述したように情報記録層１０の材料における位置合わせ用マーカ７０を付与する位置に関しては、高い精度が要求される。ここで、位置合わせ用マーカ７０を情報記録層１０の材料に付与する方法について図５を用いて説明する。まず、情報記録層１０の材料を上下の金属製マーカ付与板１２０の間に挟み、上側の金属製マーカ付与板１２０を通じた軸を情報記録層１０の材料に取り付ける。ここで、金属製マーカ付与板１２０におけるマーカを付与する突起は、複数個ある。また、上下の金属製マーカ付与板１２０におけるマーカを付与する突起は、互いに整列されている。この状態で、情報記録層１０の材料を上下の金属製マーカ付与板１２０で挟み、情報記録層１０の上面及び下面の両方に複数個の位置合わせ用マーカ７０を付与することができる。このようにして、情報記録層１０の材料の上面及び下面に、互いに整列された位置合わせ用マーカ７０を付与することができる。位置合わせ用マーカ７０を付与した後は、上下の金属製マーカ付与板１２０を互いに離し、情報記録層１０を軸から取り外す。互いに整列された位置合わせ用マーカ７０によって、情報記録層１０の材料の上下面に塗布される紫外線硬化樹脂に当てる二つのスタンパ１１０の位置を精度良く決めることができ、結果として、情報記録層１０の上下に整列された凹凸部３０を形成することができる。
【００３９】
さらに、情報記録層１０の材料に付与された位置合わせ用マーカ７０の位置に対してスタンパ１１０を精度良く合わせる必要がある。位置合わせ用マーカ７０を用いて、スタンパ１１０に対して情報記録層１０の材料を位置決めする方法を図６に示す。図６に示すように、位置合わせ用マーカ７０が付与された情報記録層１０の材料をＸ−Ｙ方向移動機構などに置き、情報記録層１０の材料の上下面（ｘ−ｙ方向）に沿った方向に移動させる。また、図６に示す赤色レーザー光源１３０は、例えば、Ｈｅ−Ｎｅレーザーであり、情報記録層１０の材料の片面に向かって波長６３３ｎｍの赤色レーザー光を照射する。ここで、情報記録層１０の材料が、図示してないスタンパ１１０に対して所望の位置に位置決めされたとき、赤色レーザー光が、位置合わせ用マーカ７０に照射されるように、赤色レーザー光源１３０から照射されるレーザー光の方向が決定される。情報記録層１０の材料に照射され反射された赤色レーザー光は、受光器１４０で検出される。情報記録層１０の材料が所望の位置に置かれると、赤色レーザー光が、位置合わせ用マーカ７０に照射されて、照射されたレーザー光の一部が吸収される。このとき、情報記録層１０の材料から反射された光は、赤色レーザー光が、位置合わせ用マーカ７０に照射されない場合よりも弱くなる。よって、情報記録層１０の材料をｘ−ｙ方向に沿って移動させることによって、情報記録層１０の材料からの反射光の強度が最も弱くなる位置を探して、情報記録層１０の材料を、スタンパ１１０に対して所望の位置に位置決めすることができる。ここで、位置検出装置としては、例えば、１μｍの誤差検出分解能が得られるＳＵＮＸ株式会社製のレーザー変位センサーＨＬ−Ｃ１を使用することができる。また、ｘ−ｙ方向移動機構は、例えば、０．０１μｍの移動分解能が得られる駿河精機株式会社製のＸＹ自動ステージＫＳ２０１−２０ＨＤを使用することができる。これら現在の技術を用いて、スタンパ１１０に対して情報記録層１０の材料を十分に精度良く位置決めすることが可能である。なお、情報記録層１０の材料の大きさは、スタンパ１１０の大きさよりも大きく、位置合わせ用マーカ７０は、情報記録層１０の材料における情報記録層１０として使用される範囲より外側に付与されているため、スタンパ１１０を紫外線硬化樹脂に当てるとき、スタンパ１１０が赤色レーザー光源１３０及び受光器１４０と接触することを避けることができる。また、情報記録層１０の材料に対するスタンパ１１０の位置決めの誤差をできるだけ小さくするために、位置合わせ用マーカ７０は、情報記録層１０の材料の最外周部に付与することが好ましい。
【００４０】
上側及び下側の凹凸部３０を整列させるために、上下のスタンパ１１０を整列させる必要があるので、情報記録層１０の材料の上下面に付与される位置合わせ用マーカ７０も互いに整列させる必要がある。このため、上下の位置合わせ用マーカ７０の整列は、誤差が少ないことが望ましいが、上側及び下側の凹凸部３０の整列には、ある程度の許容範囲が存在するため、上下の位置合わせ用マーカ７０の整列にもある程度の許容範囲が存在する。ここで、上下の位置合わせ用マーカ７０の整列に関して許容される誤差範囲について図７を用いて説明する。図７において、情報記録層１０の下面に付与される位置合わせ用マーカ７０の位置をＡと表示し、情報記録層１０の上面に付与される位置合わせ用マーカ７０の位置をＢと表示する。上下の位置合わせ用マーカ７０の位置に関する誤差、即ち、Ａ及びＢの整列に関する位置の誤差ｄは、上下方向における上下の位置合わせ用マーカ７０間の距離ｔ、並びにＡを通る上下方向とＡ及びＢを結ぶ方向の角度θを用いて、θ＝ｔａｎ−１（ｄ／ｔ）と表せる。図７に示す単一の情報記録層１０を有する三次元光情報記録媒体では、ｔは、情報記録層１０の厚さと一致する。ここで、光情報記録媒体１を製造する際に、上下の位置合わせ用マーカ７０の整列に関する誤差、すなわち、上下の凹凸部３０の整列に関する誤差ｄよりも上下方向における上下の位置合わせ用マーカ７０間の距離ｔが十分大きい（ｄ＜＜ｔ）ときには、Ａを通る上下方向とＡ及びＢを結ぶ方向の角度θは、十分小さく、光情報記録媒体１に対して情報を記録及び／又は再生をする光情報記録再生光学系の光軸の方向を補正する機構、又は光情報記録媒体１の上下面の方向を補正する機構を用いて、θを補正することができる。即ち、上記機構を用いて補正することができる角度範囲θに対して、ｄの許容範囲は、ｔの大きさによって決定される。例えば、上記の機構でθを補正することができる角度範囲が±１度であるとすると、ｔが１ｍｍの光情報記録媒体１では、ｄは、±１７．５μｍの許容範囲となる。これは、現在の産業機械精度において十分実現可能な値である。さらに、近年における光情報記録媒体の大容量化に伴って、本発明による単一の情報記録層を有する光情報記録媒体１において、情報記録層１０の厚さｔを大きくすることは、ｄの許容範囲を大きくすることになり、大容量の光情報記録媒体１の製造に好ましい。また厚さの薄い情報記録層を有する光情報記録媒体においても、情報記録層上に厚さの大きい透明層を形成することによって、上記ｔに対応する、情報記録層に付与した位置合わせ用マーカと透明層に付与した位置合わせ用マーカとの間の距離を大きくすることができる。これにより、ｄが大きくなり、大容量の光情報記録媒体を製造することが容易になる。
【００４１】
なお、上下の位置合わせ用マーカ７０の位置に関する誤差、即ち、Ａ及びＢの整列に関する位置の誤差ｄが、許容範囲を超えた場合には、θが、上記機構によって補正できる範囲を超えてしまい、上下に設けられた凹凸部３０を同時にトラッキングすることが困難になる。また、上下に設けられた凹凸部３０を同時にトラッキングすることができたとしても、トラッキング用光に発生するコマ収差が大きくなり、光情報記録媒体の記録及び再生特性が悪化する。
【００４２】
ここで、ｄが、それぞれ、１、２、５、又は１０μｍであるとき、ｔに対するθの値を図８に示す。図８に示すように、例えば、θをＤＶＤ−ＲＡＭ規格で規定されている±０．３度以内を実現するためには、ｄを１μｍ以下に抑えることが可能であるために、ｔは、おおよそ２００μｍ以上であればよい。すなわち、凹凸部３０を有する上側の樹脂層２０及び下側の樹脂層２０間の間隔は、少なくとも２００μｍ以上であることが望ましい。この場合には、上側の凹凸部３０及び下側の凹凸部３０の整列に関する精度が高くなくでも、光情報記録媒体１に対して情報を記録及び／又は再生することができる。
【００４３】
次に、本発明の第一の態様による光情報記録再生光学系について図９を用いて説明する。本発明の第一の態様による光情報記録再生光学系は、トラッキング用レーザー光を放出する二つのトラッキング用発光素子２１１及び情報記録再生用レーザー光を放出する単一又は複数の記録再生用発光素子２１２、トラッキング用レーザー光を受光する二つのトラッキング用受光素子２２１及び情報記録再生用レーザー光を受光する単一又は複数の情報記録再生用受光素子２２２、ホログラム回折格子２３０、偏光ビームスプリッター２４０、１／４波長板２５０、コリメータレンズ２６０、及び対物レンズ２７０を含む。二つのトラッキング用発光素子２１１から放出されたトラッキング用レーザー光、及び単一又は複数の記録再生用発光素子２１２から放出された情報記録再生用レーザー光は、直線偏光した光であり、偏光ビームスプリッター２４０を透過する。次に、これら直線偏光したレーザー光は、それぞれ、これらのレーザー光が光軸上の異なる位置に焦点を合わせるように設計されたホログラム回折格子２３０を通過する。ホログラム回折格子２３０を通過した光は、１／４波長板２５０を通過して円偏光になると共に、コリメータレンズ２６０及び対物レンズ２７０を透過して、それぞれ、異なる位置に焦点を合わせる。ここで、二つのトラッキング用レーザー光は、それぞれ、光情報記録媒体１の整列した上下の凹凸部３０に焦点を合わせ、情報記録再生用レーザー光は、光情報記録媒体１の情報記録層１０に形成される又は形成された記録マークに焦点を合わせる。上下の凹凸部３０から反射された二つのトラッキング用レーザー光及び情報記録再生用レーザー光は、光情報記録媒体に入射する光と逆向きの円偏光を有し、１／４波長板２５０を通過することで、光情報記録媒体に入射する光と直交した直線偏光になると共に、対物レンズ２７０、コリメータレンズ２６０、及びホログラム回折格子２３０を通過する。ホログラム回折格子１３０を通過した、光情報記録媒体に入射する光と直交した直線偏光を有するこれらの光は、偏光ビームスプリッター２３０で反射され、それぞれ、二つのトラッキング用受光素子２２１及び単一又は複数の情報記録再生用受光素子２２２に受光される。
【００４４】
トラッキング用発光素子及び情報記録再生用発光素子には、半導体レーザーなどを使用することができる。一方、トラッキング用受光素子２２１及び情報記録再生用受光素子２２２として、ＣＤ又はＤＶＤ等の従来の光ディスクで用いられている分割型フォトダイオード（分割型ＰＤ）等を使用することができ、分割型ＰＤからの出力電気信号の処理には、従来の光ディスク技術を用いることができる。
【００４５】
また、光情報記録媒体における複数の情報記録層１０に対して情報の記録及び／又は再生を行うためには、情報記録層１０の数と同数の記録再生用発光素子２１２及び対応する記録再生用受光素子２２２を設ければよい。複数の記録再生用発光素子２１２及び対応する記録再生用受光素子２２２を設けた場合には、一度に再生することができる情報量が多いため、高い情報の転送速度を有する光情報記録再生光学系を提供することが可能になる。
【００４６】
次に、本発明の第二の態様による光情報記録再生光学系について図１０を用いて説明する。本発明の第一の態様による光情報記録再生光学系は、光情報記録媒体１の上下面の両側からトラッキングを行うための光学系である。この光情報記録再生光学系は、トラッキング用レーザー光を放出する二つのトラッキング用発光素子２１１及び情報記録再生用レーザー光を放出する単一又は複数の記録再生用発光素子２１２、トラッキング用レーザー光を受光する二つのトラッキング用受光素子２２１及び情報記録再生用レーザー光を受光する単一又は複数の情報記録再生用受光素子２２２、三つの偏光ビームスプリッター２４０、二つの１／４波長板２５０、六つのコリメータレンズ２６０、二つの対物レンズ２７０、及びダクロイックミラー２８０を含む。単一又は複数の記録再生用発光素子２１２は、光情報記録媒体１の上下の片側又は両側に配置され得るが、図１０は、例として、単一又は複数の記録再生用発光素子２１２が、光情報記録媒体１の上側に配置される場合の光学系を示す。図１０に示す光学系では、光情報記録媒体１の上側においては、一つのトラッキング用発光素子から放出される直線偏光のレーザー光は、コリメータレンズ２６０で平行光になり、偏光ビームスプリッター２４０で反射され、ダイクロイックミラー２８０を透過し、１／４波長板２５０を通過して円偏光になって、対物レンズ２７０により、光情報記録媒体１の上側の凹凸部３０に焦点を合わせる。上側の凹凸部３０から反射された光は、光情報記録媒体１に入射する光と逆向きの円偏光を有し、１／４波長板を通過して光情報記録媒体１に入射する光と直交した直線偏光になり、ダイクロイックミラー２８０及び偏光ビームスプリッター２４０を透過し、コリメータレンズ２６０を通じてトラッキング用受光素子２２１に受光される。また、単一又は複数の記録再生用発光素子２１１から放出される情報記録再生用レーザー光は、直線偏光を有すると共にトラッキング用レーザー光と異なる波長を有する。この情報記録再生用レーザー光は、コリメータレンズ２６０を通過し、偏光ビームスプリッター１４０で反射され、ダイクロイックミラー２８０で反射され、１／４波長板２５０を通過して円偏光になって、対物レンズ２７０により、光情報記録媒体１の情報記録層１０に焦点を合わせる。情報記録層１０から反射された光は、光情報記録媒体１に入射する光と逆向きの円偏光を有し、１／４波長板を通過して光情報記録媒体１に入射する光と直交した直線偏光になり、ダイクロイックミラー２８０及び偏光ビームスプリッター２４０を透過し、コリメータレンズ２６０を通じて情報記録再生用受光素子２２２に受光される。一方、光情報記録媒体１の下側においては、他方のトラッキング用発光素子から放出される直線偏光のレーザー光は、コリメータレンズ２６０で平行光になり、偏光ビームスプリッター２４０で反射され、１／４波長板２５０を通過して円偏光になって、対物レンズ２７０により、光情報記録媒体１の下側の凹凸部３０に焦点を合わせる。下側の凹凸部３０から反射された光は、光情報記録媒体１に入射する光と逆向きの円偏光を有し、１／４波長板を通過して光情報記録媒体１に入射する光と直交した直線偏光になり、偏光ビームスプリッター２４０を透過し、コリメータレンズ２６０を通じてトラッキング用受光素子２２２に受光される。図１０に示す光情報記録再生光学系では、ホログラム回折格子を用いずに、トラッキング用レーザー光及び情報記録再生用レーザー光を、より入手が容易なダイクロイックミラーによって分離している。
【００４７】
光情報記録媒体１の片側から上下の凹凸部３０をトラッキングする場合には、情報記録層１０を透過して凹凸部３０をトラッキングする光は、情報記録層１０により吸収及び／又は散乱され、その凹凸部３０から反射されたトラッキング用レーザー光の強度が微弱になる場合もある。これに対して、光情報記録媒体１の両側からトラッキングする光情報記録再生光学系を用いれば、凹凸部３０をトラッキングするレーザー光は、情報記録層１０による吸収及び／又は散乱されることなく、両側の凹凸部３０をトラッキングすることができる。
【００４８】
図１０において、上側の凹凸部３０をトラッキングすると共に情報記録層１０に対して情報を記録及び／又は再生する光情報記録再生光学系は、下側の凹凸部３０をトラッキングする光学系を同一の光軸を有する。このため、これら光学系の間で対向するレーザー光が互いに干渉することが懸念される場合には、図３に示すような反射層５０を有する光情報記録媒体１を使用することができる。このような反射層５０を有する光情報記録媒体１を使用することで、上下の凹凸部３０をトラッキングするレーザー光が互いに干渉することを避けることができる。
【００４９】
図１０においては、情報記録媒体１の上側から情報記録層１０に含まれる情報を記録及び／又は再生する光情報記録再生光学系について説明したが、情報記録媒体１の下側から情報記録層１０に含まれる情報を記録及び／又は再生する光情報記録再生光学系も同様に実現することができる。このように情報記録媒体１の片側から情報記録層１０に含まれる情報を記録及び／又は再生し、金属層５０を有する多層構造の光情報記録媒体１を用いる場合には、金属層５０は、最上（又は最下）の情報記録層１０の上側（又は下側）に設ける必要がある。また、情報記録媒体１の両側から情報記録層１０に含まれる情報を記録及び／又は再生する光情報記録再生光学系も同様に形成することができる。このように光情報記録媒体１の両側から情報記録層１０に含まれる情報を記録及び／又は再生し、金属層５０を有する多層構造の光情報記録媒体１を用いる場合には、金属層５０は、複数の情報記録層１０の間に設けられる。さらに、情報記録再生用受光素子の前にピンホールを使用する共焦点光学系を用いてもよい。情報記録再生用受光素子の前に共焦点光学系を採用することによって、情報記録再生用受光素子が所望の情報記録層１０から反射されたレーザー光のみを受光し、他の情報記録層１０から反射されたレーザー光との混同（クロストーク）を防止することができる。
【００５０】
次に、光情報記録媒体の対応する上下の凹凸部を結ぶ直線と光情報記録再生光学系の光軸とを一致させる機構について説明する。従来の光ディスクは、一層又は二層の情報記録層に情報を記録するため、ある程度の光ディスクの傾きに対しては、問題なく情報の記録及び／又は再生を行うことができた。ところが、光情報記録媒体の上下面に垂直な方向にも情報の記録及び／又は再生を行う三次元光情報記録媒体では、光情報記録媒体の傾き又は歪みによって、光が所望の位置を走査することが困難になる。従って、光情報記録媒体の傾き又は光情報記録再生光学系の光軸の方向を調節する機構が必要になる。光情報記録媒体の傾きを補正する機構は、例えば図１１に示すような特開２０００−２９８８５９号公報に開示されたチルト補正機構３００を使用することができる。また、光情報記録再生光学系の光軸の方向を補正する機構の例としては、特開２００１−３４４７８８号公報などに示す光ピックアップ・アクチュエータなどを使用することができる。
【００５１】
次に、光情報記録媒体の凹凸部をトラッキングする方法について図１２を用いて説明する。図１２（ａ）は、最初に上側の凹凸部３０をトラッキングする方法を示す。図１２（ａ）に示すように、まず、トラッキング用レーザー光を上側の凹凸部３０に焦点合わせする（Ｓ１１０）。次に、焦点合わせしたトラッキング用レーザー光を用いて上側の凹凸部３０に対してトラッキングを行う（Ｓ１２０）。Ｓ１１０及びＳ１２０における動作は、フォーカスサーボ及びトラッキングサーボを用いて行い、光情報記録再生光学系の光軸に対する光情報記録媒体の傾斜角の初期値を０度に維持しておく。Ｓ１１０及びＳ１２０の動作は、従来の光ディスクシステムと同様に実現されるため、ここでは詳細な説明を省略する。なお、上側の凹凸部には、トラッキング用案内溝以外のアドレス情報も組み込まれており、所望のトラックへ光情報記録再生光学系を移動させる（Ｓ１３０）。  次に、光情報記録媒体の傾きを補正する機構を用いて下側の凹凸部に対してトラッキングを行う。この際、上側の凹凸部に関する焦点合わせ及びトラッキングを維持し、所望のアドレスを追従し続けておく。上側の凹凸部及び下側の凹凸部における同一のトラックを、同一のタイミングで走査しなければ、情報記録再生用レーザー光を、所望の位置にアクセスさせることができない。従って、トラッキングをかけた後の下側の凹凸部では、上側の凹凸部で追従しているトラックのアドレス情報をもとに、所望のトラックを探し、さらに凹凸部に含まれるウォブル及びランドプリピット（ＬＰＰ）などのアドレス情報に基づいて、上側の凹凸部及び下側の凹凸部で同一の位置を追従できるように、光情報記録媒体の傾きを補正する機構を制御する。図１１（ｂ）は、最初に下側の凹凸部３０をトラッキングする方法を示す。この場合には、上側の凹凸部と下側の凹凸部を入れ替えるだけで、図１１（ａ）に示す最初に上側の凹凸部３０をトラッキングする方法と同様にして、情報の記録及び／又は再生を実現することができる。
【００５２】
図１３は、上側の凹凸部３０と下側の凹凸部３０の両方に対してトラッキングを行った後、光情報記録再生光学系の光軸を補正する機構を制御することによって、上側及び下側の凹凸部３０における同一アドレスを追従する様子を示す。すなわち、本発明による光情報記録媒体１内の情報記録層１０に情報の記録及び／又は再生を行う場合、整列した上側の凹凸部３０と下側の凹凸部３０の二点を結ぶ線により、記録マーク６０の存在する位置に該当するアクセスすべき点を一意に定めることができる。これにより、光情報記録媒体１の反り及び／又は光情報記録再生装置へ光情報記録媒体１を取り付ける際の光情報記録媒体１の傾きがあっても、光情報記録再生光学系の光軸を補正する機構を用いることによって、情報記録再生用レーザー光４１０に情報記録層内のアクセスすべき場所を追従させることがきる。よって、光情報記録媒体１における所望の位置に対して情報を記録及び／又は再生することができる。このように本発明による光情報記録再生装置では、情報の記録及び／又は再生の際に、光情報記録層１内の所望の位置に対して、絶対的な位置決め機構を用いていない。上側の凹凸部３０と下側の凹凸部３０における同一のアドレスを追従し、対応する上側の凹凸部３０と下側の凹凸部３０の二点間を結ぶ線上に記録マーク６０を配置するように情報の記録を行い、情報の再生もこの二点簡を結ぶ線上で行うことを特徴としている。また、光情報記録媒体１は、情報記録層１０に情報を記録した後、光情報記録再生装置から取り出して保管することが可能である。つまり、光情報記録媒体１に記録された情報を再生するために光情報記録媒体１を取り付けたときに、光情報記録媒体１に反り及び／又は傾きがあった場合でも、情報記録再生用レーザー光４１０を所望の位置にアクセスさせることが可能である。よって、本発明の光情報記録媒体１は、高いリムーバビリティを有する。
【００５３】
なお、本発明による光情報記録再生装置は、本発明による光情報記録再生光学系を使用して、光情報記録媒体に対して情報を記録及び／又は再生する。本発明による光情報記録再生装置に含まれる光情報記録再生光学系以外の素子、システム及び機構などは、従来の光ディスク記録再生装置で使用されるものを用いることができる。
【００５４】
加えて、本発明の光情報記録媒体及びその製造方法並びに光情報記録再生光学系などは、上述の実施形態に限定されるものではなく、本発明の範囲を逸脱することなく上述の実施形態を変形又は変更することができること言うまでもない。
【００５５】
【発明の効果】
本発明によれば、光の光路がその表面に対して垂直でない場合でも光情報を記録及び／又は再生することが可能であると共に、容易に製造できる光情報記録媒体、該光情報記録媒体の製造方法、及び該光情報記録媒体に対して光情報の記録及び／又は再生する光情報記録再生光学系及び光情報記録再生装置を提供することができる。
【００５６】
【図面の簡単な説明】
【図１】本発明の第一の態様による光情報記録媒体の断面図である。
【図２】本発明の第二の態様による光情報記録媒体の断面図である。
【図３】本発明の第三の態様による光情報記録媒体の断面図である。
【図４】（ａ）乃至（ｈ）は、本発明による光情報記録媒体の製造方法を説明する図である。
【図５】情報記録層の材料に位置合わせ用マーカを付与する方法を説明する図である。
【図６】情報記録層の材料とスタンパとの位置合わせを説明する図である。
【図７】本発明による光情報記録媒体の上側凹凸部及び下側凹凸部の整列に関する誤差と情報記録層の厚さとの関係を説明する図である。
【図８】光情報記録媒体の上側凹凸部及び下側凹凸部の整列に関する所定の誤差ｄに対して、情報記録層の厚さｔと整列に関する誤差による角度の関係を示す図である。
【図９】本発明の第一の態様による光情報記録再生光学系を説明する図である。
【図１０】本発明の第二の態様による光情報記録再生光学系を説明する図である。
【図１１】本発明による光情報記録媒体をトラッキングする手順を説明する図であり、（ａ）は、最初に上側の凹凸部に焦点合わせをする場合、（ｂ）は、最初に下側の凹凸部に焦点合わせをする場合を示す。
【図１２】光情報記録媒体の傾きを補正する機構を示す図である。
【図１３】本発明による光情報記録媒体に反り又は傾きがある場合の光情報の記録及び／又は再生を説明する図である。
【図１４】従来の光情報記録媒体に反り又は傾きがある場合の光情報の記録及び／又は再生を説明する図である。
【符号の説明】
１    本発明の光情報記録媒体
２    従来の光情報記録媒体
１０    情報記録層
２０    樹脂層
２１    透明層
２２    透明又は着色層
３０    凹凸部
４０    基板
５０    反射層
６０    記録マーク
７０    マーカ
１１０    スタンパ
１２０    金属製マーカ付与板
１３０    赤色レーザー光源
１４０    受光器
２１１    トラッキング用発光素子
２１２    情報記録再生用発光素子
２２１    トラッキング用受光素子
２２２    情報記録再生用受光素子
２３０    ホログラム回折格子
２４０    偏光ビームスプリッター
２５０    １／４波長板
２６０    コリコメータレンズ
２７０    対物レンズ
２８０    ダイクロイックミラー
３００    チルト補正機構
４１０    情報記録再生用光ビーム
４２０    トラッキング用光ビーム
【図１】
2005018852.tif 000003
【図２】
2005018852.tif 000004
【図３】
2005018852.tif 000005
【図４】
2005018852.tif 000006
【図５】
2005018852.tif 000007
【図６】
2005018852.tif 000008
【図７】
2005018852.tif 000009
【図８】
2005018852.tif 000010
【図９】
2005018852.tif 000011
【図１０】
2005018852.tif 000012
【図１１】
2005018852.tif 000013
【図１２】
2005018852.tif 000014
【図１３】
2005018852.tif 000015
【図１４】
2005018852.tif 000016